【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
強化用繊維と熱可塑性ポリマーとを含む繊維強化熱可塑性ポリマーコア層と、
前記コア層上に設けられて複数の無撚繊維を含む表面層と
を含むことを特徴とする、熱可塑性複合品。
【請求項２】
前記複数の無撚繊維が、無撚ガラス繊維を含む、請求項１に記載の熱可塑性複合品。
【請求項３】
前記コア層上に設けられる前記表面層における繊維が、無撚ガラス繊維から実質的になる、請求項１に記載の熱可塑性複合品。
【請求項４】
前記コア層上に設けられる前記表面層における繊維が、無撚ガラス繊維からなる、請求項１に記載の熱可塑性複合品。
【請求項５】
前記コア層が、約０．１ｇｍ／ｃｍ3から約１．８ｇｍ／ｃｍ3の密度を有する、請求項１に記載の複合品。
【請求項６】
前記コア層が、完全に圧密されている、請求項１に記載の複合品。
【請求項７】
前記コア層の前記熱可塑性ポリマーが、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンズイミダゾール樹脂、または、それらのコポリマーもしくは混合物の少なくとも１種を含む、請求項１に記載の複合品。
【請求項８】
前記コア層の前記強化用繊維が、ガラス繊維、炭素繊維、グラファイト繊維、合成有機繊維、無機繊維、天然繊維、鉱物繊維、金属繊維、金属化無機繊維、金属化合成繊維、セラミック繊維、またはその組み合わせの１種以上を含む、請求項１に記載の複合品。
【請求項９】
前記複数の無撚繊維が、無撚炭素繊維、無撚グラファイト繊維、無撚合成有機繊維、無撚無機繊維、無撚天然繊維、無撚鉱物繊維、無撚金属繊維、無撚金属化無機繊維、無撚金属化合成繊維、無撚セラミック繊維、またはその組み合わせの１種以上を含む、請求項１に記載の複合品。
【請求項１０】
前記複数の無撚繊維が、無撚ガラス繊維と、無撚炭素繊維、無撚グラファイト繊維、無撚合成有機繊維、無撚無機繊維、無撚天然繊維、無撚鉱物繊維、無撚金属繊維、無撚金属化無機繊維、無撚金属化合成繊維、無撚セラミック繊維、またはその組み合わせの１種以上とを含む、請求項１に記載の複合品。
【請求項１１】
前記複数の無撚繊維が、無撚ガラス繊維を含み、前記熱可塑性樹脂が、ポリプロピレンを含む、請求項１に記載の複合品。
【請求項１２】
前記コア層の前記強化用繊維が、無撚繊維を含む、請求項１に記載の複合品。
【請求項１３】
前記コア層上に設けられる前記表面層の前記無撚繊維および前記コア層の前記無撚繊維が、少なくとも１つの共通種類の無撚繊維を含む、請求項１２に記載の複合品。
【請求項１４】
前記コア層における前記無撚繊維が、前記コア層上に設けられる前記表面層における前記無撚繊維の配向と類似する方向に配向される、請求項１２に記載の複合品。
【請求項１５】
前記コア層における前記無撚繊維が、前記コア層上に設けられる前記表面層の前記無撚繊維の配向とは異なる方向に配向される、請求項１２に記載の複合品。
【請求項１６】
前記コア層上に設けられる前記表面層が、前記表面層に互いに垂直に配向される無撚繊維を含む、請求項１に記載の複合品。
【請求項１７】
前記コア層上に設けられる前記表面層が、撚繊維をさらに含む、請求項１に記載の複合品。
【請求項１８】
前記撚繊維が、前記縦方向と略平行に配向され、前記無撚繊維が、前記縦方向から約９０°で配向される、請求項１７に記載の複合品。
【請求項１９】
前記物品が、少なくとも４のウェーブスキャン値を有する、請求項１に記載の複合品。
【請求項２０】
前記コア層の反対側の表面に設けられる追加層をさらに含む、請求項１に記載の複合品。
【請求項２１】
前記追加層が、複数の撚繊維を含む、請求項２０に記載の複合品。
【請求項２２】
前記無撚繊維を含む前記表面層上に設けられる少なくとも１つの塗装層をさらに含む、請求項２１に記載の複合品。
【請求項２３】
前記無撚繊維を含む前記表面層上に設けられる少なくとも１つの下塗層をさらに含む、請求項２１に記載の複合品。
【請求項２４】
前記下塗層上に設けられる少なくとも１つの塗装層をさらに含む、請求項２２に記載の複合品。
【請求項２５】
前記追加層が、複数の無撚繊維を含む、請求項２０に記載の複合品。
【請求項２６】
前記無撚繊維を含む前記表面層が、横方向および縦方向に配列される無撚繊維を含み、前記横方向の無撚繊維が、前記コア層に隣接し、前記撚繊維を含む前記追加層が、前記縦方向および前記横方向に繊維を含み、前記横方向の撚繊維が、前記コア層に隣接する、請求項２１に記載の複合品。
【請求項２７】
前記無撚繊維を含む前記表面層が、横方向および縦方向に配列される無撚繊維を含み、前記横方向の無撚繊維が、前記コア層に隣接し、前記撚繊維を含む前記追加層が、前記縦方向および前記横方向に繊維を含み、前記縦方向の撚繊維が、前記コア層に隣接する、請求項２１に記載の複合品。
【請求項２８】
前記無撚繊維を含む前記表面層が、横方向および縦方向に配列される無撚繊維を含み、前記縦方向の無撚繊維が、前記コア層に隣接し、前記撚繊維を含む前記追加層が、前記縦方向および前記横方向に繊維を含み、前記横方向の撚繊維が、前記コア層に隣接する、請求項２１に記載の複合品。
【請求項２９】
前記無撚繊維を含む前記表面層が、横方向および縦方向に配列される無撚繊維を含み、前記縦方向の無撚繊維が、前記コア層と隣接し、前記撚繊維を含む前記追加層が、前記縦方向および前記横方向に繊維を含み、前記縦方向の撚繊維が、前記コア層と隣接する、請求項２１に記載の複合品。
【請求項３０】
前記無撚繊維を含む前記表面層が、横方向および縦方向に配列される無撚繊維を含み、前記横方向の無撚繊維が、前記コア層に隣接し、前記無撚繊維を含む前記追加層が、前記縦方向および前記横方向に繊維を含み、前記追加層の前記横方向の無撚繊維が、前記コア層に隣接する、請求項２５に記載の複合品。
【手続補正２】
【補正対象書類名】明細書
【補正対象項目名】０００７
【補正方法】変更
【補正の内容】
【０００７】
いくつかの実施形態では、コア層の強化用繊維は無撚繊維を含む。この開示の利益を与えられた当業者であれば、無撚繊維の切断が撚繊維の切断と類似する端形状を与え得るように認識するであろう。追加の実施形態では、コア層上に設けられる表面層の無撚繊維およびコア層の無撚繊維は、少なくとも１つの共通種類の無撚繊維を含む。いくつかの実施例では、コア層における無撚繊維はコア層上に設けられる表面層の無撚繊維の配向と類似する方向に配向されている。追加の実施例では、コア層における無撚繊維は、コア層上に設けられる表面層における無撚繊維の配向と異なる方向に配向されている。いくつかの実施形態では、コア層上に設けられる表面層は、表面層において互いに垂直に配向される無撚繊維を含む。他の実施形態では、コア層上に設けられる表面層は撚（ｔｗｉｓｔｅｄ）繊維をさらに含む。いくつかの実施形態では、撚繊維は機械方向（縦方向）と略平行に配向され、無撚繊維は機械方向から約９０°に配向されている。他の実施形態では、無撚繊維は機械方向と略平行に配向され、撚繊維は機械方向から約９０°に配向されている。追加の実施形態では、表面は少なくとも４のウェーブスキャン（ｗａｖｅ  ｓｃａｎ）値を有する。
【手続補正３】
【補正対象書類名】明細書
【補正対象項目名】００７６
【補正方法】変更
【補正の内容】
【００７６】
特定の態様、実施例および実施形態を上に記載するが、この開示の利益を与えられた当業者であれば開示された図示的態様、実施例および実施形態への追加、置換、変更、および入れ替えが可能であると理解するであろう。
本発明のまた別の態様は、以下のとおりであってもよい。
〔１〕強化用繊維と熱可塑性ポリマーとを含む繊維強化熱可塑性ポリマーコア層と、
前記コア層上に設けられて複数の無撚繊維を含む表面層と
を含むことを特徴とする、熱可塑性複合品。
〔２〕前記複数の無撚繊維が、無撚ガラス繊維を含む、前記〔１〕に記載の熱可塑性複合品。
〔３〕前記コア層上に設けられる前記表面層における繊維が、無撚ガラス繊維から実質的になる、前記〔１〕に記載の熱可塑性複合品。
〔４〕前記コア層上に設けられる前記表面層における繊維が、無撚ガラス繊維からなる、前記〔１〕に記載の熱可塑性複合品。
〔５〕前記コア層が、約０．１ｇｍ／ｃｍ3から約１．８ｇｍ／ｃｍ3の密度を有する、前記〔１〕に記載の複合品。
〔６〕前記コア層が、完全に圧密されている、前記〔１〕に記載の複合品。
〔７〕前記コア層の前記熱可塑性ポリマーが、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンズイミダゾール樹脂、または、それらのコポリマーもしくは混合物の少なくとも１種を含む、前記〔１〕に記載の複合品。
〔８〕前記コア層の前記強化用繊維が、ガラス繊維、炭素繊維、グラファイト繊維、合成有機繊維、無機繊維、天然繊維、鉱物繊維、金属繊維、金属化無機繊維、金属化合成繊維、セラミック繊維、またはその組み合わせの１種以上を含む、前記〔１〕に記載の複合品。
〔９〕前記複数の無撚繊維が、無撚炭素繊維、無撚グラファイト繊維、無撚合成有機繊維、無撚無機繊維、無撚天然繊維、無撚鉱物繊維、無撚金属繊維、無撚金属化無機繊維、無撚金属化合成繊維、無撚セラミック繊維、またはその組み合わせの１種以上を含む、前記〔１〕に記載の複合品。
〔１０〕前記複数の無撚繊維が、無撚ガラス繊維と、無撚炭素繊維、無撚グラファイト繊維、無撚合成有機繊維、無撚無機繊維、無撚天然繊維、無撚鉱物繊維、無撚金属繊維、無撚金属化無機繊維、無撚金属化合成繊維、無撚セラミック繊維、またはその組み合わせの１種以上とを含む、前記〔１〕に記載の複合品。
〔１１〕前記複数の無撚繊維が、無撚ガラス繊維を含み、前記熱可塑性樹脂が、ポリプロピレンを含む、前記〔１〕に記載の複合品。
〔１２〕前記コア層の前記強化用繊維が、無撚繊維を含む、前記〔１〕に記載の複合品。
〔１３〕前記コア層上に設けられる前記表面層の前記無撚繊維および前記コア層の前記無撚繊維が、少なくとも１つの共通種類の無撚繊維を含む、前記〔１２〕に記載の複合品。
〔１４〕前記コア層における前記無撚繊維が、前記コア層上に設けられる前記表面層における前記無撚繊維の配向と類似する方向に配向される、前記〔１２〕に記載の複合品。
〔１５〕前記コア層における前記無撚繊維が、前記コア層上に設けられる前記表面層の前記無撚繊維の配向とは異なる方向に配向される、前記〔１２〕に記載の複合品。
〔１６〕前記コア層上に設けられる前記表面層が、前記表面層に互いに垂直に配向される無撚繊維を含む、前記〔１〕に記載の複合品。
〔１７〕前記コア層上に設けられる前記表面層が、撚繊維をさらに含む、前記〔１〕に記載の複合品。
〔１８〕前記撚繊維が、前記縦方向と略平行に配向され、前記無撚繊維が、前記縦方向から約９０°で配向される、前記〔１７〕に記載の複合品。
〔１９〕前記物品が、少なくとも４のウェーブスキャン値を有する、前記〔１〕に記載の複合品。
〔２０〕前記コア層の反対側の表面に設けられる追加層をさらに含む、前記〔１〕に記載の複合品。
〔２１〕前記追加層が、複数の撚繊維を含む、前記〔２０〕に記載の複合品。
〔２２〕前記無撚繊維を含む前記表面層上に設けられる少なくとも１つの塗装層をさらに含む、前記〔２１〕に記載の複合品。
〔２３〕前記無撚繊維を含む前記表面層上に設けられる少なくとも１つの下塗層をさらに含む、前記〔２１〕に記載の複合品。
〔２４〕前記下塗層上に設けられる少なくとも１つの塗装層をさらに含む、前記〔２２〕に記載の複合品。
〔２５〕前記追加層が、複数の無撚繊維を含む、前記〔２０〕に記載の複合品。
〔２６〕前記無撚繊維を含む前記表面層が、横方向および縦方向に配列される無撚繊維を含み、前記横方向の無撚繊維が、前記コア層に隣接し、前記撚繊維を含む前記追加層が、前記縦方向および前記横方向に繊維を含み、前記横方向の撚繊維が、前記コア層に隣接する、前記〔２１〕に記載の複合品。
〔２７〕前記無撚繊維を含む前記表面層が、横方向および縦方向に配列される無撚繊維を含み、前記横方向の無撚繊維が、前記コア層に隣接し、前記撚繊維を含む前記追加層が、前記縦方向および前記横方向に繊維を含み、前記縦方向の撚繊維が、前記コア層に隣接する、前記〔２１〕に記載の複合品。
〔２８〕前記無撚繊維を含む前記表面層が、横方向および縦方向に配列される無撚繊維を含み、前記縦方向の無撚繊維が、前記コア層に隣接し、前記撚繊維を含む前記追加層が、前記縦方向および前記横方向に繊維を含み、前記横方向の撚繊維が、前記コア層に隣接する、前記〔２１〕に記載の複合品。
〔２９〕前記無撚繊維を含む前記表面層が、横方向および縦方向に配列される無撚繊維を含み、前記縦方向の無撚繊維が、前記コア層と隣接し、前記撚繊維を含む前記追加層が、前記縦方向および前記横方向に繊維を含み、前記縦方向の撚繊維が、前記コア層と隣接する、前記〔２１〕に記載の複合品。
〔３０〕前記無撚繊維を含む前記表面層が、横方向および縦方向に配列される無撚繊維を含み、前記横方向の無撚繊維が、前記コア層に隣接し、前記無撚繊維を含む前記追加層が、前記縦方向および前記横方向に繊維を含み、前記追加層の前記横方向の無撚繊維が、前記コア層に隣接する、前記〔２５〕に記載の複合品。
〔３１〕前記無撚繊維を含む前記表面層が、横方向および縦方向に配列される無撚繊維を含み、前記横方向の無撚繊維が、前記コア層に隣接し、前記無撚繊維を含む前記追加層が、前記縦方向および前記横方向に繊維を含み、前記追加層の前記縦方向の無撚繊維が、前記コア層に隣接する、前記〔２５〕に記載の複合品。
〔３２〕前記無撚繊維を含む前記表面層が、横方向および縦方向に配列される無撚繊維を含み、前記縦方向の無撚繊維が、前記コア層に隣接し、前記無撚繊維を含む前記追加層が、前記縦方向および前記横方向に繊維を含み、前記追加層の前記横方向の無撚繊維が、前記コア層に隣接する、前記〔２５〕に記載の複合品。
〔３３〕前記無撚繊維を含む前記表面層が、横方向および縦方向に配列される無撚繊維を含み、前記縦方向の無撚繊維が、前記コア層に隣接して、前記無撚繊維を含む前記追加層が、前記縦方向および前記横方向に繊維を含み、前記追加層の前記縦方向の無撚繊維が、前記コア層に隣接する、前記〔２５〕に記載の複合品。
〔３４〕前記追加層に複数の撚繊維をさらに含む、前記〔２５〕に記載の複合品。
〔３５〕前記追加層の前記複数の撚繊維が、前記コア層に隣接する、前記〔３４〕に記載の複合品。
〔３６〕前記追加層の前記複数の無撚繊維が、前記コア層に隣接する、前記〔３４〕に記載の複合品。
〔３７〕前記コア層上に設けられる前記表面層に複数の撚繊維をさらに含む、前記〔３４〕に記載の複合品。
〔３８〕前記表面層の前記複数の撚繊維が、前記コア層に隣接する、前記〔３７〕に記載の複合品。
〔３９〕前記追加層の前記複数の無撚繊維が、前記コア層と隣接する、前記〔３７〕に記載の複合品。
〔４０〕前記物品が、共通線上の各点が実質的に類似する曲率半径を有するように、表面に連続的な曲率を有する、前記〔２１〕に記載の複合品。
〔４１〕熱可塑性ポリマーと、前記熱可塑性ポリマーに設けられる強化用繊維とを含む繊維強化熱可塑性ポリマーコア層と、
前記コア層上に設けられる単層と
を含む複合品であって、
前記単層が、複数の無撚繊維を含み、前記複数の無撚繊維が、横方向および前記横方向以外の方向に配向され、前記横方向に配向される前記無撚繊維が、前記コア層に隣接することを特徴とする、複合品。
〔４２〕前記横方向以外の前記方向が、前記横方向に対して約９０°である、前記〔４１〕に記載の複合品。
〔４３〕前記熱可塑性ポリマーが、ポリプロピレンを含み、前記無撚繊維が、無撚ガラス繊維を含む、前記〔４１〕に記載の複合品。
〔４４〕前記コア層の前記熱可塑性ポリマーが、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキシド樹脂、ポリフェニレンスルフィド樹脂、ポリエーテル樹脂、ポリエーテルケトン樹脂、ポリアセタール樹脂、ポリウレタン樹脂、ポリベンズイミダゾール樹脂、または、それらのコポリマーもしくは混合物の少なくとも１種を含む、前記〔４１〕に記載の複合品。
〔４５〕前記強化用繊維が、ガラス繊維、炭素繊維、グラファイト繊維、合成有機繊維、無機繊維、天然繊維、鉱物繊維、金属繊維、金属化無機繊維、金属化合成繊維、セラミック繊維、またはその組み合わせの１種以上を含む、前記〔４１〕に記載の熱可塑性物品。
〔４６〕前記強化用繊維が、無撚繊維を含む、前記〔４１〕に記載の熱可塑性物品。
〔４７〕前記単層における繊維が、無撚ガラス繊維から実質的になる、前記〔４１〕に記載の熱可塑性物品。
〔４８〕前記単層における繊維が、無撚ガラス繊維からなる、前記〔４１〕に記載の熱可塑性物品。
〔４９〕前記単層に撚繊維をさらに含む、前記〔４１〕に記載の熱可塑性物品。
〔５０〕前記撚繊維が、前記コア層に隣接し、前記無撚繊維が、前記単層の外表面に存在する、前記〔４９〕に記載の熱可塑性物品。
〔５１〕前記撚繊維および無撚繊維が、前記単層において、前記コア層に隣接して前記単層の外表面に存在する無撚繊維によって挟持される、前記〔４９〕に記載の熱可塑性物品。
〔５２〕前記コア層上に設けられる追加層を、前記単層が設けられる前記表面とは反対側にさらに含む、前記〔４１〕に記載の熱可塑性物品。
〔５３〕前記追加層が、撚繊維を含む、前記〔５２〕に記載の熱可塑性物品。
〔５４〕前記追加層の前記繊維が、前記撚繊維から実質的になる、前記〔５３〕に記載の熱可塑性物品。
〔５５〕前記追加層の前記繊維が、前記撚繊維からなる、前記〔５３〕に記載の熱可塑性物品。
〔５６〕前記追加層が、無撚繊維を含む、前記〔５２〕に記載の熱可塑性物品。
〔５７〕前記単層上に下塗層をさらに含む、前記〔４１〕に記載の熱可塑性物品。
〔５８〕前記下塗層上に塗装層をさらに含む、前記〔４１〕に記載の熱可塑性物品。
〔５９〕前記単層上に塗装層をさらに含む、前記〔４１〕に記載の熱可塑性物品。
〔６０〕前記単層上に設けられる追加層をさらに含む、前記〔４１〕に記載の熱可塑性物品。
〔６１〕強化用繊維と熱可塑性ポリマーとを攪拌液体含有発泡体に添加して、前記熱可塑性ポリマーと強化用繊維との分散混合物を形成する工程と、
強化用繊維とポリマーとの前記分散混合物を形成支持要素に付着させる工程と、
前記液体を排出してウェブを形成する工程と、
前記ウェブを前記ポリマー樹脂の軟化温度より高く加熱する工程と、
前記ウェブを所定の厚さに圧縮してポリマーコア層を形成する工程と、
前記ポリマーコア層に無撚ガラス繊維を設けて物品を得る工程と
を含むことを特徴とする、方法。
〔６２〕前記物品を圧縮する工程をさらに含む、前記〔６１〕に記載の方法。
〔６３〕前記物品を、ローラーセットを用いて圧縮する工程をさらに含む、前記〔６１〕に記載の方法。
〔６４〕前記物品を有効圧力にて圧縮して、前記物品を完全に圧密する工程をさらに含む、前記〔６１〕に記載の方法。
〔６５〕前記無撚繊維を、無撚ガラス繊維となるように選択する工程をさらに含む、前記〔６１〕に記載の方法。
〔６６〕前記無撚繊維が設けられる前記ポリマーコア層の反対側の表面に繊維を設ける工程をさらに含む、前記〔６１〕に記載の方法。
〔６７〕反対側の表面に設けられる前記繊維を、撚ガラス繊維となるように選択する工程をさらに含む、前記〔６６〕に記載の方法。
〔６８〕反対側の表面に設けられる前記繊維を、無撚ガラス繊維となるように選択する工程をさらに含む、前記〔６６〕に記載の方法。
〔６９〕前記コア層上に設けられる前記無撚繊維に、加飾表皮を設ける工程をさらに含む、前記〔６１〕に記載の方法。
〔７０〕前記物品を、少なくとも４のウェーブスキャン値を有するように構成することをさらに含む、前記〔６１〕に記載の方法。
〔７１〕強化用繊維と熱可塑性ポリマーとを攪拌液体含有発泡体に添加して、前記熱可塑性ポリマーと強化用繊維との分散混合物を形成する工程と、
強化用繊維とポリマーとの前記分散混合物を形成支持要素に付着させる工程と、
前記液体を排出してウェブを形成する工程と、
前記ウェブを前記ポリマー樹脂の軟化温度より高く加熱する工程と、
前記ウェブを所定の厚さに圧縮してポリマーコア層を形成する工程と、
前記ポリマーコア層に無撚繊維を含む材料の層を設けて物品を得る工程と
を含むことを特徴とする、方法。
〔７２〕前記物品を圧縮する工程をさらに含む、前記〔７１〕に記載の方法。
〔７３〕前記物品を、ローラーセットを用いて圧縮する工程をさらに含む、前記〔７１〕に記載の方法。
〔７４〕前記物品を有効圧力にて圧縮して、前記物品を完全に圧密する工程をさらに含む、前記〔７１〕に記載の方法。
〔７５〕前記無撚繊維を、無撚ガラス繊維となるように選択する工程をさらに含む、前記〔７１〕に記載の方法。
〔７６〕前記無撚繊維を含む前記層が設けられる前記ポリマーコア層の反対側の表面に、繊維を含む層を設ける工程をさらに含む、前記〔７１〕に記載の方法。
〔７７〕反対側の表面に設けられる前記層を、撚ガラス繊維を含むように選択する工程をさらに含む、前記〔７６〕に記載の方法。
〔７８〕反対側の表面に設けられる前記層を、無撚ガラス繊維を含むように選択する工程をさらに含む、前記〔７６〕に記載の方法。
〔７９〕前記コア層上に設けられる前記無撚繊維を含む前記層上に、加飾表皮を設ける工程をさらに含む、前記〔７１〕に記載の方法。
〔８０〕前記物品を、少なくとも４のウェーブスキャン値を含むように構成する工程をさらに含む、前記〔７１〕に記載の方法。
〔８１〕乗物部品の塗装後にクラスＡ仕上げを得るのに有効な前記乗物部品の使用を容易にする方法であって、
前記方法が、強化用繊維と熱可塑性ポリマーとを含む繊維強化熱可塑性ポリマーコア層と、前記コア層上に設けられて複数の無撚繊維を含む層とを含む熱可塑性複合品を得る工程を含むことを特徴とする、方法。
〔８２〕前記乗物部品を、乗物のフードとなるように構成する工程をさらに含む、前記〔８１〕に記載の方法。
〔８３〕前記乗物部品を、乗物の外装サイドパネルまたは乗物のルーフとなるように構成する工程をさらに含む、前記〔８１〕に記載の方法。
〔８４〕前記無撚繊維を、無撚ガラス繊維を含むように構成する工程をさらに含む、前記〔８１〕に記載の方法。
〔８５〕前記無撚繊維を、無撚ガラス繊維から実質的になるように構成する工程をさらに含む、前記〔８１〕に記載の方法。
〔８６〕乗物部品の塗装後にクラスＡ仕上げを得るのに有効な前記乗物部品の使用を容易にする方法であって、
前記方法が、熱可塑性ポリマーと前記熱可塑性ポリマーを含む強化用繊維とを含む繊維強化熱可塑性ポリマーコア層と、前記コア層上に設けられる単層とを含む複合品を得る工程を含み、
前記単層が、複数の無撚繊維を含み、前記複数の無撚繊維が、横方向および前記横方向以外の方向に配向され、前記横方向に配向される前記無撚繊維が、前記コア層に隣接することを特徴とする、方法。
〔８７〕前記乗物部品を、乗物のフードとなるように構成する工程をさらに含む、前記〔８６〕に記載の方法。
〔８８〕前記乗物部品を、乗物の外装サイドパネルとなるように構成する工程をさらに含む、前記〔８６〕に記載の方法。
〔８９〕前記横方向以外の前記方向の前記無撚繊維を、無撚ガラス繊維を含むように構成する工程をさらに含む、前記〔８６〕に記載の方法。
〔９０〕前記横方向以外の前記方向の前記無撚繊維を、無撚ガラス繊維から実質的になるように構成する工程をさらに含む、前記〔８６〕に記載の方法。
〔９１〕無撚繊維を含む層に着色剤をさらに含む、前記〔１〕〜〔６０〕のいずれか１項に記載の熱可塑性物品。
〔９２〕前記コア層における実質的に全ての繊維が、無撚繊維である、前記〔１〕〜〔４０〕のいずれか１項に記載の熱可塑性物品。
〔９３〕前記表面層における実質的に全ての繊維が、無撚繊維である、前記〔１〕〜〔４０〕のいずれか１項に記載の熱可塑性物品。
〔９４〕前記単層における実質的に全ての繊維が、無撚繊維である、前記〔４１〕〜〔６０〕のいずれか１項に記載の熱可塑性物品。